(57)【要約】【課題】  本発明は、保護シートの紛失を防止するとともに、化粧時に化粧料等が容器外へ落下することや、保護シートが容器本体の上面に倒れてしまうことを防止することができる化粧用容器を提供することを目的とする。【解決手段】  本発明に係る化粧用容器の代表的な構成は、化粧料を収納する容器本体２と、蓋体３と、容器本体２の上面を覆う保護シート５と、を有する化粧用容器１であって、保護シート５は、容器本体２の上面を覆う開閉可能な保護部５ａと、容器本体２に支持された支持部５ｂとからなる可撓性のあるシートにて形成し、保護部５ａの化粧料を覆う面が上を向くように容器本体２の側方へ回動して開くことを特徴とする。【選択図】    図１
2005245758.tif 000002
【特許請求の範囲】
【請求項１】
化粧料を収納する容器本体と、蓋体と、前記容器本体の上面を覆う保護シートと、を有する化粧用容器であって、
前記保護シートは、前記容器本体の上面を覆う開閉可能な保護部と、前記容器本体に支持された支持部とからなる可撓性のあるシートにて形成し、前記保護部の化粧料を覆う面が上を向くように前記容器本体の側方へ回動して開くことを特徴とする化粧用容器。
【請求項２】
請求項１記載の化粧用容器であって、
前記保護シートは、樹脂を含浸させた紙又は布にて形成したことを特徴とする化粧用容器。
【請求項３】
請求項１記載の化粧用容器であって、
前記容器本体内に収納され、化粧料等の内容物を収容する中皿を有し、
前記保護シートは、前記支持部を前記中皿と前記容器本体とで挟持して支持されることを特徴とする化粧用容器。 
【発明の詳細な説明】
【技術分野】
【０００１】
本発明は、化粧料等を収容する化粧用容器に関するものである。
【背景技術】
【０００２】
従来、化粧料等を収容する化粧用容器として、容器内に化粧料が飛散したり、ブラシ等の化粧具が鏡に接触することを防止するため、容器本体の上面に保護シートを載置したものがあった。しかし、化粧をする際に、保護シートを容器本体の上面から取り外して机の上等に置いておく必要があり、保護シートを紛失してしまうおそれがあった。
【０００３】
そこで、従来、保護シートを容器本体の周側壁上に水平方向に回動可能に軸支しており、化粧をする際に、保護シートを容器本体側方へ回動させて使用する化粧用容器が提案されている（特許文献１参照）。
【０００４】
また、保護シートを容器本体の周側壁の一辺側を中心に折り曲げることで回動するように支持しており、化粧をする際に、保護シートを容器本体側方へ折り返して使用する化粧用容器が提案されている（特許文献２参照）。
【０００５】
【特許文献１】実公平７−１９３７６号公報
【特許文献１】実開昭６２−７９０９号公報
【発明の開示】
【発明が解決しようとする課題】
【０００６】
しかしながら、特許文献１に記載の化粧用容器は、保護シートが下面を鉛直方向下側に向けたまま容器本体側方へ移動するため、化粧時に、保護シートを容器本体側方へ回動させた際に、保護シートの下面に付着していた化粧料等が容器外に落下してしまうという問題があった。
【０００７】
また、特許文献２に記載の化粧用容器は、保護シートを容器本体側方へ折り返した状態で保持することができず、化粧時に、容器本体側方へ折り返した保護シートが容器本体の上面に倒れてしまうという問題があった。
【０００８】
そこで本発明は、保護シートの紛失を防止するとともに、化粧時に化粧料等が容器外へ落下することや、保護シートが容器本体の上面に倒れてしまうことを防止することができる化粧用容器を提供することを目的とする。
【課題を解決するための手段】
【０００９】
上記課題を解決するために本発明に係る化粧用容器の第一の構成は、化粧料を収納する容器本体と、蓋体と、前記容器本体の上面を覆う保護シートと、を有する化粧用容器であって、前記保護シートは、前記容器本体の上面を覆う開閉可能な保護部と、前記容器本体に支持された支持部とからなる可撓性のあるシートにて形成し、前記保護部の化粧料を覆う面が上を向くように前記容器本体の側方へ回動して開くことを特徴とする。
【００１０】
また、本発明に係る化粧用容器の第二の構成は、第一の構成の化粧用容器であって、前記保護シートは、樹脂を含浸させた紙又は布にて形成されていることを特徴とする。
【００１１】
また、本発明に係る化粧用容器の第三の構成は、第一の構成の化粧用容器であって、前記容器本体内に収納され、化粧料等の内容物を収容する中皿を有し、前記保護シートは、前記支持部を前記中皿と前記容器本体とで挟持して支持されることを特徴とする。
【発明の効果】
【００１２】
本発明に係る化粧用容器の第一の構成により、保護シートの紛失を防止するとともに、化粧時に化粧料等が容器外へ落下することや、保護シートが容器本体の上面に倒れてしまうことを防止することができる。
【００１３】
本発明に係る化粧用容器の第二の構成により、保護シートに化粧料が付着しにくくすることができ、保護シートを開いた際に保護部に付着した化粧料が容器外へこぼれることを防止できる。
【００１４】
本発明に係る化粧用容器の第三の構成により、保護シートを接着剤等を用いることなく、容器本体に容易に取り付けることができる。
【発明を実施するための最良の形態】
【００１５】
本発明に係る化粧用容器の実施形態について、図を用いて説明する。図１は本実施形態に係る化粧用容器の保護シートを開いた状態の斜視図、図２は正面から見た容器本体及び保護シートの断面図、図３は化粧用容器の保護シートを閉じた状態の斜視図である。
【００１６】
図１に示すように、化粧料等を収容する化粧用容器１は、容器本体２、蓋体３、中皿４、保護シート５から構成される。
【００１７】
容器本体２は、内側に中皿４を囲って収納する周側壁２ｃを設け、周側壁２ｃにヒンジ用凹部２ｂ、フック用凹部２ａを設けている。ヒンジ用凹部２ｂは容器本体２の背面に形成され、フック用凹部２ａは容器本体２の正面に形成される。
【００１８】
蓋体３は、その内面の中央に鏡６、内面の背面側にヒンジ用凸部３ａを、内面の正面側にフック３ｂをそれぞれ設け、容器本体２にヒンジ結合している。
【００１９】
ヒンジ用凸部３ａは、前記したヒンジ用凹部２ｂに嵌め込まれている。ヒンジ用凹部２ｂとヒンジ用凸部３ａの軸穴に軸７を通すことにより、ヒンジ用凸部３ａは両側を容器本体２に支持されることとなり、蓋体３が容器本体２に対して回動可能に蝶着される。
【００２０】
フック３ｂは、蓋体３を閉じた際に容器本体２のフック用凹部２ａ内に設けられた掛止凸部２ｄに掛止されて、蓋体３を容器本体２に閉蓋状態でロックするようになっている。また、フック３ｂを押し上げることで掛止凸部２ｄとフック３ｂのロックを解除し、蓋体３が開く。
【００２１】
中皿４は、長方形の平面形状に形成されており、化粧料、化粧具を収納する収納部４ａ、４ｂが形成されている。
【００２２】
図２（ａ）、図３に示すように、保護シート５は、樹脂を含浸させた和紙、布等の可撓性のあるシートにて形成されている。この樹脂は、少なくとも保護部５ａの化粧料を覆う面に含浸されている。また、保護シート５は、保護部５ａと支持部５ｂとからなり、容器本体の上面に対して開閉可能に形成されている。
【００２３】
保護部５ａは、容器本体２の上面を覆うように、中皿４とほぼ同じ長方形の平面形状に形成されている。保護部５ａは、蓋体３を閉じた際には鏡６と化粧料との間に介在し、容器本体２の上面を覆う。
【００２４】
支持部５ｂは、容器本体２の底面から周側壁２ｃの内側に渡って、中皿４と容器本体２とでＬ字状に挟持して支持されている。
【００２５】
化粧用容器１を使用する際は、まず、上述のごとく、化粧用容器１が閉じた状態から、フック３ｂを押し上げることで掛止凸部２ｄとフック３ｂのロックを解除し、蓋体３を開く。
【００２６】
続いて、図３の状態から保護部５ａと支持部５ｂの境界線を中心に保護シート５の右辺を持ち上げる。そして、そのまま保護部５ａを容器本体２の側方へ回動して開き、保護部５ａの化粧料を覆う面を上に向けた状態で保護部５ａを机等に載置する。この状態で、容器本体２の側方へ開いた保護シート５が邪魔にならず、保護シート５を取り外すことなく、中皿４内の化粧具、化粧料を用いて化粧を行うことができる。
【００２７】
また、図２（ｂ）に示すように、開いた保護部５ａをさらに容器本体２の裏面側まで回して手の平Ｈの上に載せて化粧を行うこともできる。かかる使用方法でも開いた保護シート５が邪魔になることがない。
【００２８】
上述のごとく、保護シート５は、容器本体２の上面を覆う開閉可能な保護部５ａと、容器本体２に支持された支持部５ｂとからなる可撓性のあるシートにて形成し、保護部５ａの化粧料を覆う面が上を向くように容器本体２の側方へ回動して開くこととした。
【００２９】
これにより、化粧用容器１を閉じた状態で、鏡６を傷つけることなく、化粧料の飛散を防止することができる。また、化粧用容器１の使用時に保護シート５を容器本体２から取り外す必要がなく、保護シート５の紛失を防止することができる。また、保護シート５が容器本体２の上面に倒れてしまうことを防止することができる。
【００３０】
また、保護シート５は、樹脂を含浸させた紙又は布にて形成したことにより、保護シート５に化粧料が付着しにくくすることができ、保護シート５を開いた際に保護部５ａに付着した化粧料が容器外へこぼれることを防止できる。
【００３１】
また、保護シート５を支持部５ｂを中皿４と容器本体２とで挟持して支持する構成とした。これにより、保護シート５を接着剤等を用いることなく、容器本体２に容易に取り付けることができる。また、化粧用容器１の廃棄の際に、保護シート５、容器本体２、中皿４を簡単に分離することができ、分別回収が容易となる。
【産業上の利用可能性】
【００３２】
本発明は、化粧料以外の様々な内容物を収容するコンパクト容器にも適用出来る。
【図面の簡単な説明】
【００３３】
【図１】本実施形態に係る化粧用容器の保護シートを開いた状態の斜視図である。
【図２】（ａ）保護シートを開いた状態における正面から見た容器本体及び保護シートの断面図である。（ｂ）保護シートを容器本体の裏面側に回した状態における正面から見た容器本体及び保護シートの断面図である。
【図３】化粧用容器の保護シートを閉じた状態の斜視図である。
【符号の説明】
【００３４】
Ｈ    …手の平
１    …化粧用容器
２    …容器本体
２ａ  …フック用凹部
２ｂ  …ヒンジ用凹部
２ｃ  …周側壁
２ｄ  …掛止凸部
３    …蓋体
３ａ  …ヒンジ用凸部
３ｂ  …フック
４    …中皿
４ａ  …化粧料収納部
４ｂ  …収納部
５    …保護シート
５ａ  …保護部
５ｂ  …支持部
６    …鏡
７    …軸
【図１】
2005245758.tif 000003
【図２】
2005245758.tif 000004
【図３】
2005245758.tif 000005